【事件の表示】
　特願２００２−３４９９１９「プラズマディスプレイパネルの冷却装置及びパネル安定化方法」拒絶査定不服審判事件〔平成１６年１月８日出願公開、特開２００４−４４９８〕について、次のとおり審決する。
【結　論】
　本件審判の請求は、成り立たない。
【理　由】
結論
　本件審判の請求は、成り立たない。
　
理由
１　手続の経緯
　本件は、平成１４年１２月２日（パリ条約による優先権主張　２００１年１２月１日、韓国）の出願であって、 平成１８年４月２１日付けで明細書を補正対象とする手続補正書が提出されたところ、平成１８年６月１２日付け（同年６月２０日発送。）で上記手続補正を却下するとともに、該手続補正の却下と同日付け（同年６月２０日発送。）で拒絶査定がされ、これに対して、平成１８年９月１９日に拒絶査定不服審判が請求されるとともに、同年１０月１９日付けで明細書を補正対象とする手続補正書が提出されたものである。
　
２　平成１８年１０月１９日付け手続補正についての補正却下の決定
　
［補正却下の決定の結論］
　平成１８年１０月１９日付けの手続補正を却下する。
　
［理由］
（１）補正の内容
　平成１８年１０月１９日提出の手続補正（以下、「本件補正」という。）は、補正前の特許請求の範囲の記載
「【請求項１】　パネルの温度を一定温度以下に制限するように入力されるビデオ信号の輝度情報によってサステインパルス数を決定する第１ステップと、
　前記入力ビデオ信号の表示のために前記決定したサステインパルスを供給する第２ステップと
を含めてなることを特徴とするパネル安定化方法。」
　を、
「【請求項１】　プラズマディスプレイパネルの安定化方法において、
　前記パネルの温度を一定温度以下に制限するために、電力制御回路が、入力されるビデオ信号を表示する前記パネルの前記表示に基づく消費電力が一定の電力を維持するように、前記入力ビデオ信号のフレームごとに、温度変化による少なくとも輝度データが格納されているメモリのデータに基づいてサステインパルス数を決定する第１ステップと、
　前記入力ビデオ信号の表示のためにパネル駆動回路が前記決定したサステインパルスを前記パネルに供給する第２ステップと
　を含めてなることを特徴とするプラズマディスプレイパネルの安定化方法。」
　と補正する内容を含むものである。
　
（２）補正の目的の適合性
　そこで、本件補正後の請求項１に係る発明と、本件補正前の請求項１に係る発明とを比較すると、本件補正は、第１ステップに関して、「ビデオ信号の輝度情報によって」サステインパルス数を決定するという技術的事項を削除することを含むものである。
　そうすると、本件補正は、パネルの温度を一定温度以下に制限するように入力されるビデオ信号の輝度情報によってサステインパルス数を決定する第１ステップを、入力されるビデオ信号の輝度情報によらないもの、即ち、前記パネルの温度を一定温度以下に制限するために、電力制御回路が、入力されるビデオ信号を表示する前記パネルの前記表示に基づく消費電力が一定の電力を維持するように、前記入力ビデオ信号のフレームごとに、温度変化による少なくとも輝度データが格納されているメモリのデータに基づいてサステインパルス数を決定する第１ステップに変更するものであるから、特許請求の範囲を限定するものではない。
　したがって、本件補正は、特許請求の範囲の限定的減縮を目的とするものに該当しない。また、請求項の削除を目的とするもの、誤記の訂正を目的とするものにも、明らかに該当しない。
　次に、明りょうでない記載の釈明を目的としたものであるか否かに関して検討する。
　この点に関し請求人は、平成１８年４月２１日付け審判請求書において、「上記手続補正書における特許請求の範囲の請求項１，３の「・・・」は、段落［００４７］，［００４８］の記載事項をもとに補正したものであり、新規事項の追加には当たらないと考える。・・・なお、これらの補正は、明りょうでない記載の釈明を目的とするものであり、特許法第１７条の２第４項の規定を満たすものと考える。」旨主張している。
　しかしながら、明細書の段落［００５６］に「これによって本発明によるＡＰＬ６４の設定値は輝度、色座標及び電流を考慮したうえ、温度を更に考慮する。従って、温度を更に考慮したＡＰＬ６４の設定値によってサステインパルス数が制限される。」と記載されているとおり、「ビデオ信号の輝度情報によってサステインパルス数を決定する」という事項と「温度変化による少なくとも輝度データが格納されているメモリのデータに基づいてサステインパルス数を決定する」という事項は、技術的にみて全く異なる事項である。
　また、請求人は平成２１年１月１６日付け回答書において、「さらに、この補正は、去る平成１７年１１月１５日発送の拒絶理由通知書の理由２の項目（ロ）で指摘された明りょうでない記載の釈明を目的としたものであり、特許法第１７条の２第４項の規定を満たすものと考える。」旨主張している。
　そこで、平成１７年１１月１５日発送の拒絶理由通知書の理由２の項目（ロ）における「（ロ）【請求項１】および【請求項５】について、「パネルの温度を一定温度以下に制限するように入力されるビデオ信号の輝度情報によってサステインパルス数を決定する」と記載されているが、「パネルの温度を一定温度以下に制限する」ことと、「入力されるビデオ信号の輝度情報によってサステインパルス数を決定する」こととの関係が明確に記載されていないから、これらの請求項に係る発明において、どのようにして「サステインパルス数を決定」するのか不明である。」との指摘について検討する。この指摘は、温度を一定温度以下に制限するために、入力されるビデオ信号の輝度情報によってサステインパルス数を制限することを明確に記載することを求めた指摘であると解するの妥当であって、上記請求人の主張を合理的なものであると解することはできない。
　したがって、本件補正は、拒絶理由通知に係る拒絶の理由に示す事項についてした「明りょうでない記載の釈明を目的とするもの」であるとはいえない。
　
　なお、「前記パネルの温度を一定温度以下に制限するために、電力制御回路が、入力されるビデオ信号を表示する前記パネルの前記表示に基づく消費電力が一定の電力を維持するように、前記入力ビデオ信号のフレームごとに、温度変化による少なくとも輝度データが格納されているメモリのデータに基づいてサステインパルス数を決定する第１ステップ」との補正では、「消費電力が一定の電力を維持する」ことと、「温度変化による少なくとも輝度データが格納されているメモリのデータ」との技術的な関係が不明であることから、結果として、サステインパルス数を決定している因子は何であるのか不明である。これらの点からみて、特許請求の範囲の記載が明りょうではない以上、本件補正は、明りょうでない記載の釈明を目的とするものに該当しない。
　
　また、「電力制御回路が、入力されるビデオ信号を表示する前記パネルの前記表示に基づく消費電力が一定の電力を維持する・・・」との記載からすると、極端な例としては、全黒、全白のどちらの表示においても一定の消費電力となるような制御が行われていると解釈されるが、プラズマディスプレイパネルにおいて、如何にすれば、そのような制御ができるのか発明の詳細な説明の記載を参酌しても技術的に不明である。
　
　よって、上記補正は、平成１８年改正前特許法第１７条の２第４項第１号の請求項の削除、第２号の特許請求の範囲の減縮、第３号の誤記の訂正、第４号の明りょうでない記載の釈明、のいずれを目的とする補正ともいえない。
　
（３）むすび
　したがって、本件補正は、平成１８年改正前特許法第１７条の２第４項の規定に違反するものであるから、特許法第１５９条第１項で読み替えて準用する特許法第５３条第１項の規定により却下されるべきものである。
　
３　本願発明
　平成１８年１０月１９日付けの手続補正は上記のとおり却下され、また、平成１８年４月２１日付け手続補正は、平成１８年６月１２日付けの補正却下の決定により却下されているので、本願の請求項１ないし８に係る発明は、平成１７年１月１１日付け手続補正書の特許請求の範囲の請求項１ないし８に記載された事項により特定されるとおりのものと認められるところ、その請求項１に記載された発明（以下「本願発明」という。）は、次のとおりである。
「【請求項１】　パネルの温度を一定温度以下に制限するように入力されるビデオ信号の輝度情報によってサステインパルス数を決定する第１ステップと、
　前記入力ビデオ信号の表示のために前記決定したサステインパルスを供給する第２ステップと
を含めてなることを特徴とするパネル安定化方法。」（以下、「本願発明」という。）
　
４　引用例に記載された発明
　原査定の拒絶の理由で引用され、本願の優先権主張の日前に頒布された刊行物である特開平１１−１９４７４５号公報（以下、「引用例１」という。）には、図面とともに、次の事項が記載されている。
　
（１）「【００１０】
【発明が解決しようとする課題】しかしながら、従来のディスプレイ装置では、表示画面９７の全体における表示画素数が検出され、その検出結果に応じて輝度が制御され、それによって温度上昇が抑えられるので、つぎのような問題点があった。すなわち、表示画面９７の一部のみが明るいような画像、例えば、表示画面９７の２０％の大きさをもつ白ウィンドウ画像などが表示されるときには、輝度を下げる制御が行われないので、局部的に温度が上昇する。その結果、前述したようにガラス面が割れるという問題点があった。
【００１１】仮に、基準値Ｎ0を２０％以下の値に低く設定すると、輝度が引き下げられ、その結果、温度の上昇を押さえることができるが、輝度を引き下げる必要のない画像に対しても、輝度が下げられることとなる。すなわち、大半の画像に対して、不必要に輝度が引き下げられ、画像の見易さ、画像品位の点で問題を生じる。
【００１２】この発明は、従来の装置における上記した問題点を解消するためになされたもので、温度上昇にともなう表示画面の破損を、表示される画像の品位を損なうことなく有効に防止することを可能にするディスプレイ装置を提供することを目的とする。」
　
（２）「【００２９】
【発明の実施の形態】＜1.実施の形態１＞はじめに、この発明の実施の形態１のディスプレイ装置について説明する。
【００３０】＜1-1.装置の概略＞図１は、実施の形態１のディスプレイ装置の構成を示すブロック図である。この装置は、表示画面に画像が表示されたときに、表示画面に温度上昇が起こり得るディスプレイ装置、例えばプラズマディスプレイ装置であり、ディスプレイ部４およびディスプレイコントローラ部２の他に、温度予測制御部３を備えている。表示画面５０を備えるディスプレイ部４には、配線１７を通じて、ディスプレイコントローラ部２が接続されている。また、ディスプレイコントローラ部２には、入力端子１が接続されるとともに、配線５，６を通じて温度予測制御部３が接続されている。
【００３１】ディスプレイコントローラ部２は、入力端子１に到来した画像信号に対して、ディスプレイ部４への表示を可能にするためのデータ変換を行う。データ変換された画像信号は、ライン１７を介してディスプレイ部４へと供給される。温度予測制御部３は、表示画面５０における温度の予測を行い、予測された温度にもとづいて、輝度制御信号を生成する。生成された輝度制御信号は、配線６を通じてディスプレイコントローラ部２へと入力される。
【００３２】ディスプレイコントローラ部２は、入力端子１を通じて入力された画像信号に対してデータ変換を行うのに先だって、この画像信号に対して、輝度制御信号にもとづいて輝度に補正を加える。温度予測制御部３は、輝度に補正が加えられた後の信号を、配線５を通じて受け取り、受け取った信号（受信信号）にもとづいて、温度の予測を行う。
【００３３】ディスプレイ部４には、輝度が補正され、さらに、変換が加えられた信号が入力される。したがって、ディスプレイ部４は、従来装置のディスプレイ部９４とは異なり、輝度調整回路を備えていなくてもよい。図１のディスプレイ装置にも、図２４の従来装置と同様に、装置の各部に電力を供給するための電源回路および電源配線が備わっている（図示を略する）。
【００３４】＜1-2.ディスプレイコントローラ部＞図２は、ディスプレイコントローラ部２の内部構成を示すブロック図である。図２に示すように、ディスプレイコントローラ部２には、データ変換部６２と輝度補正部６１とが備わっている。データ変換部６２は、図２４に示した従来のディスプレイコントローラ部９２にも備わっている装置部分である。他方の輝度補正部６１は、図２４に示した従来のディスプレイ部９４に備わる輝度調整回路（図示は略されている）と同等の機能を果たす装置部分であるが、変換前の信号に対して、輝度の補正が行われる点で、従来の輝度調整回路とは相違する。
【００３５】入力端子１を通じてディスプレイコントローラ部２へと入力された現フレーム（カレントフレーム）の画像信号は、輝度補正部６１へと入力される。画像信号には、輝度信号Ｐ(t)の他に、色差信号、水平および垂直同期信号（図示を略する）が含まれる。他方、配線６を通じて温度予測制御部３から輝度補正部６１へと入力される輝度制御信号は、輝度信号Ｐ(t)の強度を弱める比率である輝度補正係数Ｂ(t)を表現する。
【００３６】輝度補正部６１は、入力された画像信号に含まれる輝度信号Ｐ(t)に対して、輝度補正係数Ｂ(t)にもとづく補正を加える。補正は、つぎの数式１にしたがって行われる。
Ａ(t)＝Ｂ(t)×Ｐ(t)    ・・・・・・  （数式１）
すなわち、輝度信号Ｐ(t)に輝度補正係数Ｂ(t)を乗じることによって、輝度信号Ｐ(t)が補正輝度信号Ａ(t)へと変換される。補正輝度信号Ａ(t)は、色差信号、水平および垂直同期信号とともに、データ変換部６２へと送出される。
【００３７】データ変換部６２は、輝度信号Ｐ(t)について補正が加えられた画像信号の入力を受け、入力された画像信号を、ディスプレイ部４に整合した形式へと変換した後に、ディスプレイ部４へと供給する。すなわち、ディスプレイ部４へ入力される信号には、補正輝度信号Ａ(t)が変換されて得られる変換後の補正輝度信号Ａ(t)*が含まれる。
【００３８】したがって、表示画面５０には、輝度補正係数Ｂ(t)にもとづいて輝度が補正された画像が表示されることとなる。すなわち、輝度補正係数Ｂ(t)が、輝度に補正を加えない値（Ｂ(t)＝1）であるときには、表示画面５０には、画像が標準通りの明るさで表示される。一方、輝度補正係数Ｂ(t)が、輝度を弱める値（例えば、Ｂ(t)＝0.7）であるときには、画像が標準よりも暗く表示される。
【００３９】輝度補正部６１で生成された補正輝度信号Ａ(t)は、水平及び垂直同期信号とともに、配線５を通じて温度予測制御部３へも入力される。温度予測制御部３は、この補正輝度信号Ａ(t)にもとづいて、温度の予測を行い、さらに、輝度補正係数Ｂ(t)を生成する。
【００４０】なお、装置がプラズマディスプレイ装置として構成されているときには、ディスプレイコントローラ部２には、図示を略するが、従来のディスプレイコントローラ部９２と同様に、ディスプレイ部４を駆動するための駆動制御信号を生成する装置部分が備わり、生成された駆動制御信号は、変換後の補正輝度信号Ａ(t)*などとともに、ディスプレイ部４へと送出される。また、輝度信号Ｐ(t)、輝度補正係数Ｂ(t)、補正輝度信号Ａ(t)等の符号に含まれる変数tは、現フレームを表現し、以下に現れるt-1,t-2,・・・t-j等の変数は、それぞれ、現フレームよりも1,2,・・・,jフレームだけ過去にさかのぼるフレームを表現する。
【００４１】＜1-3.予測温度の算出＞図３は、温度予測制御部３の内部構成を示すブロック図である。温度予測制御部３には、主要な要素として、平均値演算部８、レジスタ部９、基準温度記憶部１０、および、判断部１１が備わっている。平均値演算部８には、配線５を通じて、補正輝度信号Ａ(t)および水平・垂直同期信号が入力される。判断部１１の一部、平均値演算部８、および、レジスタ部９によって、予測温度演算部７３が構成される。
【００４２】平均値演算部８は、図４の動作説明図に示すように、水平・垂直同期信号にもとづいて、ディスプレイ部４の表示画面５０を、観念上、複数のブロック（領域）ＢＫ1〜ＢＫNへと分割し、ブロックＢＫ1〜ＢＫNの各々ごとに、補正輝度信号Ａ(t)の平均値Ｓ1(t)，Ｓ2(t)，・・・，ＳN(t)を算出する。図４には、ブロックの個数Ｎが１２である例（Ｎ＝１２）が示されている。
【００４３】図３に戻って、算出された平均値Ｓ1(t)，Ｓ2(t)，・・・，ＳN(t)は、レジスタ部９へと一時的に記憶される。このように、レジスタ部９には、１フレームごとに、平均値Ｓ1(t)，Ｓ2(t)，・・・，ＳN(t)が記憶される。記憶された平均値Ｓ1(t)，Ｓ2(t)，・・・，ＳN(t)は、１フレームごとに、判断部１１によって読み出される。すなわち、判断部１１は、レジスタ部９から１フレーム前の平均値Ｓ1(t-1)，Ｓ2(t-1)，・・・，ＳN(t-1)を読み出す。
【００４４】図５は、判断部１１の内部構成を示すブロック図である。判断部１１には、予測温度算出部２１、予測温度記憶部２０、最大値算出部２２、比較部２３、および補正係数算出部（緩衝部）２４が備わっている。前述の予測温度演算部７３は、予測温度算出部２１および予測温度記憶部２０をも包含している。また、最大値算出部２２、比較部２３、および、補正係数算出部２４は、予測温度にもとづいて、輝度補正部６１における補正動作を制御する補正制御部７２を構成する。判断部１１は、ハードウェアのみで構成されてもよく、また、CPUとメモリに記憶されたソフトウェアとによって、等価的に構成されても良い。
【００４５】レジスタ部９から読み出された平均値Ｓ1(t-1)，Ｓ2(t-1)，・・・，ＳN(t-1)は、予測温度算出部２１へと入力される。予測温度算出部２１は、複数のブロックＢＫ1〜ＢＫNの各々に対する温度の予測値、すなわち予測温度Ｔ1(t)，Ｔ2(t)，・・・・，ＴN(t)を、平均値Ｓ1(t-1)，Ｓ2(t-1)，・・・，ＳN(t-1)にもとづいて算出する。予測温度算出部２１には予測温度記憶部２０が接続されており、算出された予測温度Ｔ1(t)，Ｔ2(t)，・・・，ＴN(t)は、予測温度記憶部２０へと書き込まれる。
【００４６】予測温度算出部２１は、予測温度Ｔ1(t)，Ｔ2(t)，・・・，ＴN(t)を算出する際に、予測温度記憶部２０に記憶されるデータ、すなわち、１フレーム前に算出された予測温度Ｔ1(t-1)，Ｔ2(t-1)，・・・，ＴN(t-1)を読み出して参照する。これらの予測温度Ｔ1(t-1)，Ｔ2(t-1)，・・・，ＴN(t-1)は、平均値Ｓ1(t-1)，Ｓ2(t-1)，・・・，ＳN(t-1)よりもさらに１フレーム前の平均値Ｓ1(t-2)，Ｓ2(t-2)，・・・，ＳN(t-2)にもとづいて算出された値である。
【００４７】電源投入の直後において、予測温度Ｔ1(t)，Ｔ2(t)，・・・，ＴN(t)がはじめて算出されるときには、参照すべき予測温度Ｔ1(t-1)，Ｔ2(t-1)，・・・，ＴN(t-1)として、例えば、初期値”０”が用いられる。そのためには、例えば、レジスタ部９に記憶される値が、電源投入の直後に初期値”０”へと初期化されるとよい。このとき、予測温度Ｔ1(t)，Ｔ2(t)，・・・，ＴN(t)は、表示画面５０の初期温度、あるいは、外気温度を基準とした温度上昇分に相当する。
【００４８】予測温度Ｔ1(t)，Ｔ2(t)，・・・，ＴN(t)は、つぎの数式２にもとづいて算出される。
    Ｔn(t)＝Ｋ１×［Ｓn(t-1)＋α］＋（１−Ｋ２）×Ｔn(t-1)・・・・（数式２）
ここで、変数ｎは、ブロックＢＫ1〜ＢＫNの中の任意のブロックＢＫnに対する値であることを示す変数であり、ｎ＝１〜Ｎの範囲のすべての値をとる。係数Ｋ１，Ｋ２は、それぞれ、０＜Ｋ１≦１、および、０＜Ｋ２≦１の範囲に設定される定数である。また、定数αは、表示画面５０に画像が表示されないときの１フレーム間の温度上昇に対応する定数であり、例えば、装置がプラズマディスプレイ装置である場合には、種火放電に起因する温度上昇に対応する。
【００４９】数式２は、温度の変化率が、発熱量と放熱量とに、それぞれ一次関数の関係で依存し、しかも、放熱量が温度に比例することを表現している。このため、平均値Ｓn(t)が一定であるときには、予測温度Ｔn(t)は、指数関数に沿って変化し、やがて定常状態へと収束することとなる。すなわち、数式２は、表示画面５０における温度の変化を、最も簡単な形式で、しかも、精度良く予測するものとなっている。図６（ａ）および図６（ｂ）は、このことを例示するグラフである。すなわち、図６（ａ）、図６（ｂ）には、ブロックＢＫnにおける平均値Ｓn(t)、および、予測温度Ｔn(t)の時間に沿った変化が、それぞれ例示されている。
【００５０】図６（ａ）、図６（ｂ）では、時刻０において電源が投入された後、ある時刻ｔ１まで経過した後に、ブロックＢＫnを含めた表示画面５０に画像の表示が開始され、その後の時刻ｔ２に至るまで、一定の輝度での画像の表示が継続し、時刻ｔ２には、画像の表示が停止するという簡単な動作が想定されている。このとき、図６（ａ）に示されるように、時刻０〜ｔ１の期間では、平均値Ｓn(t)＝０であり、時刻ｔ１〜ｔ２の期間においては、平均値Ｓn(t)＝一定値（＞０）であり、時刻ｔ２以後において、平均値Ｓn(t)＝０となる。
【００５１】このように変化する平均値Ｓn(t)に対して、予測温度Ｔn(t)は、つぎのように算出される。時刻０〜ｔ１の期間では、画像は表示されず、平均値Ｓn(t)がゼロであるにもかかわらず、図６（ｂ）に示すように、予測温度Ｔn(t)は、幾分上昇している。この温度上昇は、定数αに由来するものであり、例えば装置がプラズマディスプレイ装置である場合には、種火放電による温度上昇を反映している。この期間における予測温度Ｔn(t)の変化は、定数αで規定されるある一定値へと漸近する指数関数で表現される。
【００５２】時刻ｔ１〜ｔ２の期間では、平均値Ｓn(t)が高い値であるために、これを反映して、予測温度Ｔn(t)は急上昇する。平均値Ｓn(t)が一定値であるために、このときの予測温度Ｔn(t)の変化も指数関数で表現される。そして、予測温度Ｔn(t)は、指数関数に沿って変化しつつ、ある一定値へと収束する。時刻ｔ２以後においては、平均値Ｓn(t)がゼロであるために、予測温度Ｔn(t)は急速に減少する。このときの予測温度Ｔn(t)の変化も指数関数で表現される。そして、予測温度Ｔn(t)は、指数関数に沿って変化しつつ、定数αで規定される一定値へと収束する。
【００５３】なお、図６（ａ）、図６（ｂ）では、時刻ｔ１〜ｔ２における予測温度Ｔn(t)の漸近値が、後述する基準温度Ｔ１，Ｔ２（図６（ｂ）に点線で描かれる）よりも低くなるように、この期間の平均値Ｓ1(t)，Ｓ2(t)，・・・，ＳN(t)が、いずれも過度に高くはない場合が想定されている。
【００５４】＜1-4.輝度補正係数Ｂ(t)の算出＞図５に戻って、予測温度算出部２１で算出された予測温度Ｔ1(t)，Ｔ2(t)，・・・，ＴN(t)は、予測温度記憶部２０へ書き込まれると同時に、最大値算出部２２へも入力される。最大値算出部２２では、予測温度Ｔ1(t)，Ｔ2(t)，・・・，ＴN(t)の中で、最も大きい値を探索し、その値を最大値Ｔmaxとして比較部２３へ入力する。比較部２３には基準温度記憶部１０が接続されている。基準温度記憶部１０には、あらかじめ、所定の定数である基準温度Ｔ１，Ｔ２（Ｔ１＜Ｔ２）が格納されている。比較部２３は、最大値Ｔmaxと基準温度Ｔ１，Ｔ２との比較を行い、その結果にもとづいて、輝度補正係数Ｂ(t)の目標値Ｃ(t)を算出する。
【００５５】図７は、比較部２３における動作を説明するグラフである。図７に示されるように、比較部２３は、ヒステリシス特性を取り入れた比較を実行する。すなわち、最大値Ｔmaxが、一方の基準温度Ｔ１よりも低い値であるときには、画像の標準の明るさを実現する標準値1が、目標値Ｃ(t)へ付与され、他方の基準温度Ｔ２よりも高い値であるときには、標準値1よりも低い値、例えば0.7が付与される。
【００５６】そして、目標値Ｃ(t)が標準値1であるときには、最大値Ｔmaxが基準温度Ｔ２を超えて高くなったときに、目標値Ｃ(t)が、標準値1から値0.7へと引き下げられる。一方、最大値Ｔmaxが値0.7であるときには、最大値Ｔmaxが基準温度Ｔ１を超えて低くなったときに、目標値Ｃ(t)が値0.7から標準値1へと引き上げられる。
【００５７】算出された目標値Ｃ(t)は、補正係数算出部２４へと入力される。補正係数算出部２４は、目標値Ｃ(t)にもとづいて輝度補正係数Ｂ(t)を算出する。輝度補正係数Ｂ(t)は、目標値Ｃ(t)へと徐々に近づくように、増加または減少する係数として算出される。例えば、目標値Ｃ(t)が変化した後に、輝度補正係数Ｂ(t)は１０秒の時間をかけて、滑らかに変化し、目標値Ｃ(t)へと達する。算出された輝度補正係数Ｂ(t)は、配線５を通じて輝度補正部６１（図２）へと入力され、補正輝度信号Ａ(t)の算出に供される。すなわち、輝度補正部６１と温度予測制御部３は、フィードバックループを形成している。
【００５８】＜1-5.動作例＞輝度補正係数Ｂ(t)が、最大値Ｔmaxの変化に対して、ヒステリシス特性をもって変化するために、輝度補正係数Ｂ(t)に発振現象が現れることを防止することができる。また、輝度補正係数Ｂ(t)が、時間をかけて緩やかに目標値Ｃ(t)に追随するので、表示画面５０に表示される画像の輝度の変化が、視覚上目立たないという利点が得られる。図８（ａ）および図８（ｂ）は、このような特徴的な動作を例示するグラフである。
【００５９】図８（ａ）、図８（ｂ）では、ブロックＢＫnにおける予測温度Ｔn(t)が、最も温度が高く、その結果、最大値Ｔmax＝予測温度Ｔn(t)、であるときの動作例が示されている。すなわち、電源投入後の時刻ｔ１において、ブロックＢＫ1〜ＢＫNにおける平均値Ｓ1(t)，Ｓ2(t)，・・・，ＳN(t)の中で、ブロックＢＫnに対する平均値Ｓn(t)が最も高い値となり、しかも、過度の温度上昇をもたらすほどに高い値となるものと想定されている。
【００６０】その結果、時刻ｔ１以後において、予測温度Ｔn(t)は急上昇する。平均値Ｓn(t)の値が過度に高いために、予測温度Ｔn(t)は、やがて基準温度Ｔ２を超える。すると、比較部２３によって目標値Ｃ(t)が引き下げられる結果、輝度補正係数Ｂ(t)は、その後、例えば１０秒をかけて値1から値0.7へと徐々に減少する。その結果、表示画面５０の全体の輝度が、１０秒をかけて緩やかに低下する。それにともなって、平均値Ｓn(t)も、１０秒をかけて、低い値へと減少する。
【００６１】平均値Ｓn(t)の減少は、予測温度Ｔn(t)へも反映される。すなわち、予測温度Ｔn(t)は、時刻ｔ２の後に、やがて上昇から下降へと転じる。予測温度Ｔn(t)は、下降へと転じた後、ある一定値へと収束する。このとき、収束する値が、基準温度Ｔ１よりも低くならないように、基準温度Ｔ１が設定される。
【００６２】その後の時刻ｔ３において、平均値Ｓn(t)が、外部から入力される輝度信号Ｐ(t)の変化に応じて、さらに低い値に転じると、それにともなって予測温度Ｔn(t)も再び減少を開始する。予測温度Ｔn(t)が減少の過程で、例えば時刻ｔ４において、基準温度Ｔ１を超えると、比較部２３によって目標値Ｃ(t)が低い値0.7から標準値1へと引き上げられる。
【００６３】その結果、表示画面５０の全体の輝度が、１０秒をかけて、補正のない標準の輝度へと緩やかに上昇する。それにともなって、平均値Ｓn(t)も、１０秒をかけて、より高い値へと移行する。これを反映して、予測温度Ｔn(t)は、時刻ｔ４の後に、やがて下降から上昇へと転じる。予測温度Ｔn(t)は、上昇へと転じた後、ある一定値へと収束する。このとき、収束する値が、基準温度Ｔ２よりも低くならないように、基準温度Ｔ２が設定される。
【００６４】＜1-6.装置の利点と変形例＞以上のように、この実施の形態の装置では、表示画面５０が複数のブロックＢＫ1〜ＢＫNに分割され、それぞれについて、温度予測が行われ、最も高い予測温度にもとづいて、画面全体の輝度の補正が行われるので、局所的な温度上昇による表示画面５０の破損を防止することができる。しかも、表示画面５０の全体にわたって輝度が均一であるときにも、温度上昇が基準値を超えるほどに輝度が高くない限り、輝度の補正は行われないので、表示画面５０の破損の防止が、画質の低下を招くことなく実現される。
【００６５】また、比較部２３において、ヒステリシス特性を取り入れた比較が行われることによって、予測温度Ｔn(t)にもとづいて補正される輝度が上昇と下降とを反復するという発振現象が生じることを防ぐことが可能となる。発振現象を防止するために、基準温度Ｔ１，Ｔ２および目標値Ｃ(t)の低い方の値（例えば、値0.7）は、互いに関係をもって、最適化される。
【００６６】また、表示画面５０に表示される画像の輝度が、補正にともなって変化するときに、緩やかに変化するので、視覚上の不自然さを伴わない。すなわち、画質の低下をともなうことなく、表示画面５０の温度上昇による破損を防止することができる。
【００６７】なお、予測温度Ｔ1(t)，Ｔ2(t)，・・・，ＴN(t)の変化は、平均値Ｓ1(t)，Ｓ2(t)，・・・，ＳN(t)の変化に比べて緩やかであるため、二つの基準温度Ｔ１，Ｔ２を設定してヒステリシス特性をともなった制御を行う代わりに、単一の基準温度を設定し、ヒステリシス特性をともなわない制御を行ってもよい。制御がこのように行われても、視覚上の画質の低下は、実用性を損なうほどではない。この制御は、基準温度記憶部１０に格納される基準温度Ｔ１，Ｔ２の値を、Ｔ１＝Ｔ２へと設定したことと同等である。
【００６８】また、同じ理由により、輝度補正係数Ｂ(t)の値が、目標値Ｃ(t)へと緩やかに追随することなく、目標値Ｃ(t)に常に等しくなるように、設定されても良い。このことは、補正係数算出部２４を設けることなく、目標値Ｃ(t)を輝度補正係数Ｂ(t)として、輝度補正部６１へと直接に入力することと同等である。
【００６９】さらに、目標値Ｃ(t)は、二つの値を表現する信号であるため、単にオン・オフを表現する二値信号であってもよい。このとき、補正係数算出部２４は、オン・オフ信号にもとづいて、輝度補正係数Ｂ(t)を所定の値へと漸近あるいは一致させるとよい。また、補正係数算出部２４は、温度予測制御部３に備わる代わりに、ディスプレイコントローラ部２、あるいは、輝度補正部６１の中に備わってもよい。」
　
（３）「【０１２６】＜11.実施の形態１１＞プラズマディスプレイ装置の中には、維持放電パルスの密度（１フレーム周期の中でのパルス数）を変えることによって、表示画面５０の輝度を制御するタイプ（仮に、「維持放電パルス制御型」と称する）の装置が知られている。この種のプラズマディスプレイ装置については、実施の形態１〜１０に加えて、図２２のブロック図に示すような形態を実施することも可能である。
【０１２７】図２２に示す装置では、ディスプレイコントローラ部２には、データ変換部６２の他に、駆動信号生成部８１が備わっており、この駆動信号生成部８１には維持放電パルス数制御部８４が備わっている。維持放電パルス数制御部８４は、輝度補正部６１に相当する。データ変換部６２は、輝度信号Ｐ(t)を含む画像信号をデータ変換し、変換輝度信号Ｐ*(t)を含む変換信号を、配線８２を通じてディスプレイ部４へと送出する。
【０１２８】駆動信号生成部８１それ自体は、プラズマディスプレイ装置のディスプレイコントローラ部には、常に備わっている装置部分であり、様々な種類のパルスを生成するための駆動信号Ｓを、配線８３を通じて、ディスプレイ部４へと供給する。また、維持放電パルス制御型のプラズマディスプレイ装置では、維持放電パルス数制御部８４が、１フレーム周期の中の維持放電のパルス数を制御することによって、表示画面５０全体の輝度の制御を実現する。
【０１２９】すなわち、維持放電パルス数制御部８４が、１フレーム周期中の維持放電パルス数を少なくするように制御すると、表示画面５０全体の輝度は低く（画面全体が暗く）なり、逆に、多くするように制御すると、表示画面５０全体の輝度は高く（画面全体が明るく）なる。一般的に、表示画面５０には、１フレーム中の維持放電パルスの個数に比例した明るさで、画像が表示される。
【０１３０】図２２のディスプレイ装置は、維持放電パルス数制御部８４の機能を有効に利用するように構成されている。すなわち、入力端子１を通じて入力された輝度信号Ｐ(t)は、輝度補正係数Ｂ(t)にもとづく補正を受けることなく、直接に、データ変換部６２および温度予測制御部３へ入力される。
【０１３１】温度予測制御部３には補正輝度信号Ａ(t)ではなく輝度信号Ｐ(t)が、受信信号として入力されるので、温度予測制御部３に備わる平均値演算部８（図３）では、輝度補正係数Ｂ(t)による補正がなされていない輝度信号Ｐ(t)それ自体の、ブロックＢＫ1〜ＢＫNごとの平均値として、平均値Ｓ1(t)，Ｓ2(t)，・・・，ＳN(t)が算出される。したがって、レジスタ部９から読み出され、判断部１１へと入力される平均値Ｓ1(t-1)，Ｓ2(t-1)，・・・，ＳN(t-1)も、１フレーム前の輝度信号Ｐ(t-1)のブロックＢＫ1〜ＢＫNごとの平均値である。
【０１３２】図２３は、図２２の判断部１１の内部構成を示すブロック図である。この判断部１１は、補正係数算出部２４が出力する輝度補正係数Ｂ(t)が、予測温度算出部２１へとフィードバックされている点において、図５の判断部１１とは特徴的に異なっている。輝度補正係数Ｂ(t)は、遅延部７１によって、１フレーム周期だけ遅延されて、予測温度算出部２１へと入力される。遅延部７１は、例えば、レジスタ部９と同様に構成される。
【０１３３】予測温度算出部２１は、入力された平均値Ｓ1(t-1)，Ｓ2(t-1)，・・・，ＳN(t-1)と１フレーム前の輝度補正係数Ｂ(t-1)、さらに、予測温度記憶部２０に記憶される予測温度Ｔ1(t-1)，Ｔ2(t-1)，・・・，ＴN(t-1)にもとづき、つぎの数式４にしたがって、予測温度Ｔ1(t)，Ｔ2(t)，・・・，ＴN(t)を算出する。
【０１３４】
  Ｔn(t)＝Ｋ１×［Ｂ(t-1)×Ｓn(t-1)＋α］＋(1-Ｋ２)×Ｔn(t-1)・・（数式４）
したがって、Ｂ(t-1)×Ｓn(t-1)は、図５の予測温度算出部２１へ入力される平均値Ｓn(t-1)と同一の値となる。言い換えると、数式４にしたがって算出された予測温度Ｔ1(t)，Ｔ2(t)，・・・，ＴN(t)は、図５の予測温度算出部２１で算出された予測温度Ｔ1(t)，Ｔ2(t)，・・・，ＴN(t)と同一である。
【０１３５】数式４にしたがって算出された予測温度Ｔ1(t)，Ｔ2(t)，・・・，ＴN(t)は、予測温度記憶部２０へ書き込まれると同時に、最大値算出部２２へと入力される。したがって、輝度信号Ｐ(t)が同一であれば、補正係数算出部２４から出力される輝度補正係数Ｂ(t)の値は、図５の補正係数算出部２４から出力される輝度補正係数Ｂ(t)の値と同一となる。
【０１３６】図２２に戻って、温度予測制御部３によって算出された輝度補正係数Ｂ(t)は、維持放電パルス数制御部８４へと入力される。維持放電パルス数制御部８４は、輝度補正を行わない場合の維持放電パルスの密度をＭとすると、維持放電パルスの密度が、Ｂ(t)×Ｍ、となるように制御する。したがって、表示画面５０には、Ｂ(t)×Ｍに比例した明るさの画像が表示される。すなわち、補正輝度信号Ａ(t)＝Ｂ(t)×Ｐ(t)、に対応した輝度を実現すべく、維持放電パルスの密度を制御する。このように、図２２のディスプレイ装置は、維持放電パルス数制御部８４の機能を有効に利用する。」
　
（４）図面の図８から、プラズマディスプレイパネルの温度を基準温度Ｔ１とＴ２（Ｔ１＜Ｔ２）間に制限するようにした制御を行う構成を、読み取ることができる。
　
（ア）上記摘記事項（３）における「維持放電パルス数制御部８４は、輝度補正を行わない場合の維持放電パルスの密度をＭとすると、維持放電パルスの密度が、Ｂ(t)×Ｍ、となるように制御する。したがって、表示画面５０には、Ｂ(t)×Ｍに比例した明るさの画像が表示される。すなわち、補正輝度信号Ａ(t)＝Ｂ(t)×Ｐ(t)、に対応した輝度を実現すべく、維持放電パルスの密度を制御する。」等との記載及び図面の図８から、プラズマディスプレイパネルの温度を基準温度Ｔ２以下に制限するように入力される輝度信号Ｐ(t)によって温度予測制御部（３）は輝度補正係数Ｂ(t)を算出し、該算出値Ｂ(t)に基づいて維持放電パルス数を制御する段階を、読み取ることができる。
　
（イ）上記摘記事項（３）から、輝度信号Ｐ(t)をデータ変換した変換輝度信号Ｐ*(t)の表示のために１フレーム前の輝度信号Ｐ(t)に基づき算出された維持放電パルス数をディスプレイ部（４）へ供給する段階を、読み取ることができる。
　
（ウ）上記摘記事項（１）から、表示画面の破損を防止してなるプラズマディスプレイパネルの駆動方法を、読み取ることができる。
　
　したがって、上記摘記事項（１）乃至（３）及び図面の記載からみて、引用例１には、以下の発明が記載されているものと認められる。　
「プラズマディスプレイパネルの温度を基準温度Ｔ２以下に制限するように入力される輝度信号Ｐ(t)によって温度予測制御部（３）は輝度補正係数Ｂ(t)を算出し、該算出値Ｂ(t)に基づいて維持放電パルス数を制御する段階と、
　輝度信号Ｐ(t)をデータ変換した変換輝度信号Ｐ*(t)の表示のために、１フレーム前の輝度信号Ｐ(t)に基づき算出された維持放電パルス数をディスプレイ部（４）へ供給する段階と、
　を含んでなる表示画面の破損を防止してなるプラズマディスプレイパネルの駆動方法。」（以下、「引用発明」という。）
　
５　対比
 　本願発明と引用発明とを対比する。
（１）引用発明の「プラズマディスプレイパネル」は、本願発明の「パネル」に相当し、以下同様に、「温度を基準温度Ｔ２以下に制限する」は「温度を一定温度以下に制限する」に、「入力される輝度信号Ｐ(t)」は「入力されるビデオ信号の輝度情報」に、「維持放電パルス数を制御する」は「サステインパルス数を決定する」相当するから、引用発明の「プラズマディスプレイパネルの温度を基準温度Ｔ２以下に制限するように入力される輝度信号Ｐ(t)によって温度予測制御部（３）は輝度補正係数Ｂ(t)を算出し、該算出値Ｂ(t)に基づいて維持放電パルス数を制御する段階」は、本願発明の「パネルの温度を一定温度以下に制限するように入力されるビデオ信号の輝度情報によってサステインパルス数を決定する第１ステップ」に相当する。
（２）引用発明の「輝度信号Ｐ(t)をデータ変換した変換輝度信号Ｐ*(t)の表示のために、１フレーム前の輝度信号Ｐ(t)に基づき算出された維持放電パルス数をディスプレイ部（４）へ供給する段階」は、本願発明の「前記入力ビデオ信号の表示のために前記決定したサステインパルスを供給する第２ステップ」と、「データ変換した変換輝度信号Ｐ*(t)の表示のために」用いている点及び「１フレーム前の輝度信号Ｐ(t)に基づき算出され」ている点で相違するものの、「前記決定したサステインパルスを供給する第２ステップ」との限りにおいて一致する。
（３）引用発明の「表示画面の破損を防止してなるプラズマディスプレイパネルの駆動方法」は、表示画面の破損を防止し表示される画像の品位を損なうことなく安定した駆動を実現するための方法に関するものであることから、本願発明の「パネル安定化方法」に相当する。
　
　したがって、本願発明と引用発明の両者は、 以下の一致点で一致し、以下の相違点で相違する。
　
＜一致点＞
「パネルの温度を一定温度以下に制限するように入力されるビデオ信号の輝度情報によってサステインパルス数を決定する第１ステップと、
　前記決定したサステインパルスを供給する第２ステップと
を含めてなることを特徴とするパネル安定化方法。」
　
＜相違点＞
　決定したサステインパルス数が、本願発明では、「前記入力ビデオ信号の表示のために」用いられているのに対して、引用発明では、１フレーム後のデータ変換した変換輝度信号Ｐ*(t)に基づく表示を行うために用いられている点。
　
６　判断
　上記相違点１について検討する。
  例えば、原査定の拒絶の理由で引用され本願の優先権主張の日前に頒布された刊行物である特開平１０−２０７４２６号公報（以下、「周知例」という。）には、図面とともに次の事項が記載されている。
　
（１）「【００３５】＜第２実施例＞次に、本発明のプラズマディスプレイパネル表示装置の駆動方法及び駆動制御装置の第２実施例について説明する。本発明の第２実施例における駆動波形は図１１と同様である。第２実施例の駆動方法を実現するプラズマディスプレイパネル表示装置の構成について、図２を用いて説明する。第２実施例は、周囲光検出回路１２によってプラズマディスプレイパネル１１の周囲の明るさを検出する代わりに、プラズマディスプレイパネル１１の画面の明るさを検出して、各サブフィールドの維持放電期間長を各サブフィールド同じ比率で増減させるよう構成したものである。なお、図２において、図１と同一部分には同一符号を付し、共通する部分についての説明は適宜省略することとする。
【００３６】プラズマディスプレイ表示装置は、表示画像の明るさが明るいほど、さらには、全画面に対する明るい画面の比率が大きければ大きいほど、各駆動回路５〜７やプラズマディスプレイパネル１１で消費する消費電力が増大する。また、表示セル数が増えれば増えるほど、各駆動回路５〜７やプラズマディスプレイパネル１１で消費する消費電力が増大する。さらに、現状では、各駆動回路５〜７等で消費する表示放電に直接寄与しない無駄な消費電力も無視できないほど存在しているため、ＡＰＬ（平均画像レベル）を検出して表示装置全体の消費電力をなるべく均一に抑える必要がある。
【００３７】図２において、ＡＰＬ検出回路１４は、プラズマディスプレイパネル１１に表示する画像のＡＰＬを検出して、その検出信号をサブフィールド維持放電回数制御回路１３に供給する。即ち、プラズマディスプレイパネル１１の全画面に対する明るい画面の比率を検出する。この検出方法としては、予めプラズマディスプレイパネル１１に入力する画像信号のＡＰＬを直接検出してもよいし、プラズマディスプレイ表示装置全体で消費する消費電力や放電電流の総和等を検出してもよい。サブフィールド維持放電回数制御回路１３は、ＡＰＬ検出回路１４からの検出信号に基づいて、図１２における各サブフィールドの維持放電期間長を各サブフィールド同じ比率で増減させる制御信号を駆動パルス発生回路４に供給する。
【００３８】具体的には、プラズマディスプレイパネル１１の画面の明るさが明るい場合には、各サブフィールドの維持放電期間長をそれぞれ短くなるように制御して、プラズマディスプレイパネル１１に表示する画像の輝度を低くする。また、プラズマディスプレイパネル１１の画面の明るさが暗い場合には、図１２に示すように、各サブフィールドの維持放電期間長がそれぞれ最長となるように制御して、プラズマディスプレイパネル１１に表示する画像の輝度を高くする。このようにして、第２実施例では、図１２に示す維持放電期間長（維持放電回数）を最長（最多）として、プラズマディスプレイパネル１１の画面の明るさに応じて維持放電期間長を増減して表示する。
【００３９】これによって、表示装置全体の消費電力を抑えることができる。本実施例では、各サブフィールドの維持放電期間長をそれぞれ同じ比率で短くするので、表示階調数を切り替えて表示する従来の駆動方法と比較して、見かけ上、サブフィールドの使用率が増加することになり、動画の疑似輪郭を従来よりも低減することができ、表示階調数、表示ビット精度やコントラストを低下させることがない。
【００４０】サブフィールド維持放電回数制御回路１３から出力される各サブフィールドの維持放電期間長をそれぞれ同じ比率で増減させる制御信号は、フィールド休止期間検出回路１６にも供給される。フィールド休止期間検出回路１６は、入力される制御信号に基づいて、１フィールド全体において、各サブフィールドの維持放電期間後の休止期間の総和を検出する。そして、フィールド休止期間検出回路１６により検出された１フィールド全体における総休止期間を示す総休止期間検出信号は、休止期間再配置制御回路１７に入力される。
【００４１】休止期間再配置制御回路１７は、１フィールド全体における総休止期間を、１フィールド内のどの位置に配置するかを割り当て、割り当てられた休止期間を１フィールド期間内に再配置して挿入する休止期間再配置制御信号を駆動パルス発生回路４に供給する。駆動パルス発生回路４は、休止期間再配置制御信号が入力されているときは、それを優先し、１フィールド期間内に休止期間を再配置した上で、各駆動回路５〜７に各種駆動パルスを供給する。
【００４２】そして、第２実施例においても、図６，図７に示すように、１フィールド全体における総休止期間を１フィールド期間内の最後尾に再配置したり、図８に示すように、休止期間を１フィールド期間内において前後に再配置したり、あるいは、図９に示すように、サブフィールドＳＦ１〜ＳＦ８のいずれかの位置に再配置する。これにより、プラズマディスプレイパネル１１の画面の明るさが明るくなるほど、１フィールド期間内において表示する期間を短くすることができる。従って、プラズマディスプレイパネル１１の画面の明るさが明るい場合で動画像を表示する際に、休止期間を再配置しない構成のものよりも、疑似輪郭やフリッカの発生を低減することができる。」
　
　上記周知例の記載事項によれば、プラズマディスプレイパネル表示装置の駆動方法において、維持放電回数を制御する際に、表示する画像のＡＰＬ（平均画像レベル）に基づいて、即ち、入力された画像信号の輝度情報に基づいて、当該入力された画像信号に対する維持放電回数を制御するような技術は、周知技術にすぎない。
　してみると、引用発明における、決定したサステインパルス数を、１フレーム後のデータ変換した変換輝度信号Ｐ*(t)に対して用いる構成に代えて、決定したサステインパルス数を、当該入力された画像信号に対する維持放電回数を制御するために用いる構成とすることに特段の困難性はない。
　
　よって、上記相違点に係る本願発明の発明特定事項は、引用発明に上記周知技術を適用することにより当業者が容易に想到し得た程度のものにすぎない。
　
　そして、本願発明の奏する作用効果も、引用例１に記載された事項及び上記周知技術から当業者が予測可能な範囲内のものである。
　したがって、本願発明は、引用発明及び周知技術に基づいて、当業者が容易に発明をすることができたものである。
　
７　むすび
　以上のとおりであるから、本件出願の請求項１に係る発明（本願発明）は特許法第２９条第２項の規定により特許を受けることができないものであり、その余の請求項２ないし８に係る発明についての判断を示すまでもなく、本件出願は、拒絶をすべきものである。
　よって、結論のとおり審決する。